【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
加熱溶融する樹脂からなる結着樹脂と、
着色剤と、
を含み、
加熱溶融後において粘弾性体であり、冷却の時間の経過に伴い、より粘性的な状態からより弾性的な状態に変化し、
加熱溶融後において、５０℃以上６０℃以下で熱処理が行われた場合に、熱処理前よりも熱処理後の方が、粘弾性の変化速度が予め定められた速さの範囲で大きくなることを特徴とする静電荷像現像用トナー。
【請求項２】
熱処理前における損失弾性率と貯蔵弾性率との比を、熱処理後における損失弾性率と貯蔵弾性率との比で除した値は、２以上６以下であることを特徴とする請求項１記載の静電荷像現像用トナー。
【請求項３】
熱処理前における前記損失弾性率と前記貯蔵弾性率との比は、０．７以上１．５以下であることを特徴とする請求項２記載の静電荷像現像用トナー。
【請求項４】
前記結着樹脂は、結晶性樹脂と非晶性樹脂とを含むことを特徴とする請求項１記載の静電荷像現像用トナー。
【請求項５】
前記結着樹脂は、加熱溶融後において、冷却の時間の経過に伴い、前記結晶性樹脂と前記非晶性樹脂とが相分離することを特徴とする請求項４記載の静電荷像現像用トナー。
【請求項６】
前記結晶性樹脂と前記非晶性樹脂との混合比は、粘弾性の変化速度が前記予め定められた速さの範囲となるように定められることを特徴とする請求項５記載の静電荷像現像用トナー。
【請求項７】
前記結着樹脂は、前記結晶性樹脂との結合により当該結晶性樹脂と前記非晶性樹脂との相分離を促進させる結晶核剤をさらに含み、
前記結晶性樹脂と、前記非晶性樹脂と、前記結晶核剤とが分散していることを特徴とする請求項６記載の静電荷像現像用トナー。
【請求項８】
結晶性樹脂粒子と非晶性樹脂粒子とが分散した分散液中で、当該結晶性樹脂粒子と当該非晶性樹脂粒子とを凝集して凝集粒子を得る凝集工程と、
前記凝集粒子を加熱して融合させて、加熱溶融後において粘弾性体であり５０℃以上６０℃以下で熱処理が行われた場合に熱処理前よりも熱処理後の方がより粘性的な状態からより弾性的な状態に変化する速度が予め定められた速さの範囲で大きくなるトナー粒子を形成する形成工程と、
を含み、
前記凝集工程における前記結晶性樹脂粒子と前記非晶性樹脂粒子との混合比は、前記速さの範囲になるように決められることを特徴とする静電荷像現像用トナーの製造方法。
【請求項９】
前記凝集粒子には、前記結晶性樹脂粒子との結合により当該結晶性樹脂粒子と前記非晶性樹脂粒子との相分離を促進させる結晶核剤が含まれ、
前記分散液中では、前記結晶性樹脂粒子と、前記非晶性樹脂粒子と、前記結晶核剤とが分散していることを特徴とする請求項８記載の静電荷像現像用トナーの製造方法。
【請求項１０】
像保持体と、
前記像保持体の表面を帯電する帯電手段と、
帯電された前記像保持体を露光して静電荷像を形成する露光手段と、
加熱溶融する樹脂からなる結着樹脂を含み加熱溶融後において粘弾性体であり５０℃以上６０℃以下で熱処理が行われた場合に熱処理前よりも熱処理後の方がより粘性的な状態からより弾性的な状態に変化する速度が予め定められた速さの範囲で大きくなる静電荷像現像用トナーを収容し、前記像保持体の表面に形成された静電荷像を現像する現像手段と、
前記像保持体の表面に形成された画像を記録媒体に転写する転写手段と、
記録媒体に転写された画像を定着する定着手段と、
を備える画像形成装置。
【手続補正２】
【補正対象書類名】明細書
【補正対象項目名】０００８
【補正方法】変更
【補正の内容】
【０００８】
請求項１に記載の発明は、加熱溶融する樹脂からなる結着樹脂と、着色剤と、を含み、加熱溶融後において粘弾性体であり、冷却の時間の経過に伴い、より粘性的な状態からより弾性的な状態に変化し、加熱溶融後において、５０℃以上６０℃以下で熱処理が行われた場合に、熱処理前よりも熱処理後の方が、粘弾性の変化速度が予め定められた速さの範囲で大きくなることを特徴とする静電荷像現像用トナーである。
請求項２に記載の発明は、熱処理前における損失弾性率と貯蔵弾性率との比を、熱処理後における損失弾性率と貯蔵弾性率との比で除した値は、２以上６以下であることを特徴とする請求項１記載の静電荷像現像用トナーである。
請求項３に記載の発明は、熱処理前における前記損失弾性率と前記貯蔵弾性率との比は、０．７以上１．５以下であることを特徴とする請求項２記載の静電荷像現像用トナーである。
請求項４に記載の発明は、前記結着樹脂は、結晶性樹脂と非晶性樹脂とを含むことを特徴とする請求項１記載の静電荷像現像用トナーである。
請求項５に記載の発明は、前記結着樹脂は、加熱溶融後において、冷却の時間の経過に伴い、前記結晶性樹脂と前記非晶性樹脂とが相分離することを特徴とする請求項４記載の静電荷像現像用トナーである。
請求項６に記載の発明は、前記結晶性樹脂と前記非晶性樹脂との混合比は、粘弾性の変化速度が前記予め定められた速さの範囲となるように定められることを特徴とする請求項５記載の静電荷像現像用トナーである。
請求項７に記載の発明は、前記結着樹脂は、前記結晶性樹脂との結合により当該結晶性樹脂と前記非晶性樹脂との相分離を促進させる結晶核剤をさらに含み、前記結晶性樹脂と、前記非晶性樹脂と、前記結晶核剤とが分散していることを特徴とする請求項６記載の静電荷像現像用トナーである。
請求項８に記載の発明は、結晶性樹脂粒子と非晶性樹脂粒子とが分散した分散液中で、当該結晶性樹脂粒子と当該非晶性樹脂粒子とを凝集して凝集粒子を得る凝集工程と、前記凝集粒子を加熱して融合させて、加熱溶融後において粘弾性体であり５０℃以上６０℃以下で熱処理が行われた場合に熱処理前よりも熱処理後の方がより粘性的な状態からより弾性的な状態に変化する速度が予め定められた速さの範囲で大きくなるトナー粒子を形成する形成工程と、を含み、前記凝集工程における前記結晶性樹脂粒子と前記非晶性樹脂粒子との混合比は、前記速さの範囲になるように決められることを特徴とする静電荷像現像用トナーの製造方法である。
請求項９に記載の発明は、前記凝集粒子には、前記結晶性樹脂粒子との結合により当該結晶性樹脂粒子と前記非晶性樹脂粒子との相分離を促進させる結晶核剤が含まれ、前記分散液中では、前記結晶性樹脂粒子と、前記非晶性樹脂粒子と、前記結晶核剤とが分散していることを特徴とする請求項８記載の静電荷像現像用トナーの製造方法である。
請求項１０に記載の発明は、像保持体と、前記像保持体の表面を帯電する帯電手段と、帯電された前記像保持体を露光して静電荷像を形成する露光手段と、加熱溶融する樹脂からなる結着樹脂を含み加熱溶融後において粘弾性体であり５０℃以上６０℃以下で熱処理が行われた場合に熱処理前よりも熱処理後の方がより粘性的な状態からより弾性的な状態に変化する速度が予め定められた速さの範囲で大きくなる静電荷像現像用トナーを収容し、前記像保持体の表面に形成された静電荷像を現像する現像手段と、前記像保持体の表面に形成された画像を記録媒体に転写する転写手段と、記録媒体に転写された画像を定着する定着手段と、を備える画像形成装置である。
【手続補正３】
【補正対象書類名】明細書
【補正対象項目名】０００９
【補正方法】変更
【補正の内容】
【０００９】
請求項１の発明によれば、粘弾性が予め定められた速さの範囲外で変化する場合に比べて、５０℃以上６０℃以下の温度環境下にある記録媒体に形成された画像が欠けにくい静電荷像現像用トナーを提供できる。
請求項２の発明によれば、静電荷像現像用トナーの粘弾性を予め定められた速さの範囲で変化させることができる。
請求項３の発明によれば、熱処理前における損失弾性率と貯蔵弾性率との比が０．７よりも小さく又は１．５よりも大きい場合に比べて、記録媒体に形成された画像を欠けにくくすることができる。
請求項４の発明によれば、結着樹脂に結晶性樹脂が含まれない場合に比べて、より低温でトナーを記録媒体に定着させることができる。
請求項５の発明によれば、加熱溶融後の静電荷像現像用トナーをより粘性的な状態からより弾性的な状態に変化させることができる。
請求項６の発明によれば、静電荷像現像用トナーの粘弾性を予め定められた速さの範囲で変化させることができる。
請求項７の発明によれば、結晶性樹脂と非晶性樹脂と結晶核剤とが分散していない場合に比べて、静電荷像現像用トナー中の結晶性樹脂の含有量を少なくせずに、静電荷像現像用トナーの粘弾性を予め定められた速さの範囲で変化させることができる。
請求項８の発明によれば、粘弾性が予め定められた速さの範囲外で変化する場合に比べて、５０℃以上６０℃以下の温度環境下にある記録媒体に形成された画像が欠けにくい静電荷像現像用トナーを提供できる。
請求項９の発明によれば、結晶性樹脂粒子と非晶性樹脂粒子と結晶核剤とが分散していない場合に比べて、静電荷像現像用トナー中の結晶性樹脂の含有量を少なくせずに、静電荷像現像用トナーの粘弾性を予め定められた速さの範囲で変化させることができる。
請求項１０の発明によれば、粘弾性が予め定められた速さの範囲外で変化する場合に比べて、５０℃以上６０℃以下の温度環境下にある記録媒体に形成された画像を欠けにくくすることができる。